(57)【要約】【課題】複数負荷装置の電源を纏め複数電源装置が供給する装置等において、実装された電源装置の供給電力が実装された負荷装置の消費電力に不足の場合に電源起動或いは電源投入を抑止する機能を、配線、端子数増を少なくして実現する電源制御方式を提供する。【解決手段】電源制御装置３００が、各負荷装置の接続検知抵抗２０１〜２２１を接続する信号線７２０と駆動する回路と、各電源装置の接続検知抵抗１０１〜１２１を接続する信号線７１０と駆動する回路と、信号線７１０，７２０の電位を比較し、実装された電源装置の総供給電力が実装された負荷装置の総消費電力に不足すれば予め検知する電力供給検知器３２０と、電源起動指示装置３１０から起動指示を受け、検知出力が不足を示していれば、電源装置２００〜２２０への起動指示を抑止する電源起動制御器３３０を備え、電源装置／負荷装置の接続検知抵抗は供給／消費電力相当のコンダクタンスに設定する。【選択図】      図１
2006195663.tif 000002
【特許請求の範囲】
【請求項１】
筐体に実装された可変個数の負荷装置への電源を、筐体に実装された可変個数の電源装置が纏めて供給し、各電源装置の供給電力は同じで、負荷装置の実装個数以上の電源装置の実装が要求されるシステムの電源制御方式であって、
実装された電源装置の個数に相当する第１の電位を生成する手段と、
実装された負荷装置の個数に相当する第２の電位を生成する手段と、
第１の電位と第２の電位を比較し、実装された電源装置の個数が実装された負荷装置の個数以上かどうかを予め検知する手段と、
電源起動指示を受けると、前記検知結果の以上／未満に応じ、電源装置への起動指示を発行／抑止する起動制御手段とを備えることを特徴とする電源制御方式。
【請求項２】
前記第１の電位を生成する手段を、前記電源装置に設けその装置がバックプレーンに接続されたことを示す電源装置接続検知抵抗と、
バックプレーンでこれらを接続する電源装置接続信号と
これを駆動する手段とで構成し、
前記第２の電位を生成する手段を、前記負荷装置に設けその装置がバックプレーンに接続されたことを示す負荷装置接続検知抵抗と、
バックプレーンでこれらを接続する負荷装置接続信号と、
これを駆動する手段とで構成することを特徴とする請求項１記載の電源制御方式。
【請求項３】
筐体に実装された可変個数の負荷装置への電源を、筐体に実装された可変個数の電源装置が纏めて供給するシステムの電源制御方式であって、
実装された電源装置の総供給電力に相当する第１の電位を生成する手段と、
実装された負荷装置の総消費電力に相当する第２の電位を生成する手段と、
第１の電位と第２の電位を比較し、実装された電源装置の総供給電力が実装された負荷装置の総消費電力を満足するかどうかを予め検知する手段と、
電源起動指示を受けると、前記検知結果の満足／不足に応じ、電源装置への起動指示を発行／抑止する起動制御手段とを備えることを特徴とする電源制御方式。
【請求項４】
前記第１の電位を生成する手段を、前記電源装置に設けその装置がバックプレーンに接続されたことを示す電源装置接続検知抵抗と、
これらを前記バックプレーンで接続する電源装置接続信号と、
これを駆動する手段とで構成し、
前記第２の電位を生成する手段を、前記負荷装置に設けその装置がバックプレーンに接続されたことを示す負荷装置接続検知抵抗と、
これらを前記バックプレーンで接続する負荷装置接続信号と、
これを駆動する手段とで構成し、
前記電源装置接続検知抵抗のコンダクタンスがその装置の供給電力に相当する値に設定され、
前記負荷装置接続検知抵抗のコンダクタンスがその装置の消費電力に相当する値に設定されたことを特徴とする請求項３記載の電源制御方式。
【請求項５】
電源装置接続信号を駆動する手段を、電源制御用電源と電源装置接続信号間の抵抗と、電源装置接続信号とグランド間の抵抗で構成し、
負荷装置接続信号を駆動する手段を、電源制御用電源と負荷装置接続信号間の抵抗と、負荷装置接続信号とグランド間の抵抗で構成することを特徴とする請求項２、又は４に記載の電源制御方式。
【請求項６】
筐体に実装された可変個数の負荷装置への電源を、筐体に実装された可変個数の電源装置が纏めて供給し、各電源装置の供給電力は同じで、負荷装置の実装個数以上の電源装置の実装が要求されるシステムの電源制御方式であって、
実装された電源装置の個数に相当する第１の電位を生成する手段と、
実装された負荷装置の個数に相当する第２の電位を生成する手段とを備え、
前記負荷装置が、
第１の電位と第２の電位を比較し、実装された電源装置の個数が実装された負荷装置の個数以上かどうかを予め検知する手段と、
自装置の電源起動を指示する手段と、
電源起動指示を受けると、前記検知結果の以上／未満に応じ、自装置の負荷部への電源供給指示を発行／抑止する個別の起動制御手段とを備えることを特徴とする電源制御方式。
【請求項７】
前記第１の電位を生成する手段を、前記各電源装置に設けられその装置がバックプレーンに接続されたことを示す電源装置接続検知抵抗と、
バックプレーンに設けられ、前記各電源装置接続検知抵抗を接続する電源装置接続信号とこれを駆動する手段とで構成し、
前記第２の電位を生成する手段を、前記各負荷装置に設けられその装置がバックプレーンに接続されたことを示す負荷装置接続検知抵抗と、
バックプレーンに設けられ、前記負荷装置接続検知抵抗を接続する負荷装置接続信号と、これを駆動する手段とで構成することを特徴とする請求項６記載の電源制御方式。
【請求項８】
筐体に実装された可変個数の負荷装置への電源を、筐体に実装された可変個数の電源装置が纏めて供給するシステムの電源制御方式であって、
実装された電源装置の総供給電力に相当する第１の電位を生成する手段と、
実装された負荷装置の総消費電力に相当する第２の電位を生成する手段と、
前記負荷装置が、
第１の電位と第２の電位を比較し、実装された電源装置の総供給電力が実装された負荷装置の総消費電力を満足するかどうかを予め検知する手段と、
自装置の電源起動を指示する手段と、
電源起動指示を受けると、前記検知結果の満足／不足に応じ、自装置の負荷部への電源供給指示を発行／抑止する個別の起動制御手段とを備えることを特徴とする電源制御方式。
【請求項９】
前記第１の電位を生成する手段を、前記各電源装置に設けられその装置がバックプレーンに接続されたことを示す電源装置接続検知抵抗と、
バックプレーンに設けられ、前記各電源装置接続検知抵抗を接続する電源装置接続信号とこれを駆動する手段とで構成し、
前記第２の電位を生成する手段を、前記各負荷装置に設けられその装置がバックプレーンに接続されたことを示す負荷装置接続検知抵抗と、
バックプレーンに設けられ、前記負荷装置接続検知抵抗を接続する負荷装置接続信号と、これを駆動する手段とで構成し、
前記電源装置接続検知抵抗のコンダクタンスがその電源装置の供給電力に相当する値に設定され、
前記負荷装置接続検知抵抗のコンダクタンスがその負荷装置の消費電力に相当する値に設定されたことを特徴とする請求項８記載の電源制御方式。
【請求項１０】
電源装置接続信号を駆動する手段を、電源制御用電源と電源装置接続信号間の抵抗と、電源装置接続信号とグランド間の抵抗で構成し、
負荷装置接続信号を駆動する手段を、電源制御用電源と負荷装置接続信号間の抵抗と、負荷装置接続信号とグランド間の抵抗で構成することを特徴とする請求項７、又は９に記載の電源制御方式。
【請求項１１】
筐体に実装された可変個数の負荷装置への電源を、筐体に実装された可変個数の電源装置が纏めて供給し、前記実装される可変個数の電源装置の各装置の供給電力は同じで、負荷装置の実装個数以上の電源装置の実装が要求されるシステムの電源制御装置であって、
実装された電源装置の個数に相当する第１の電位を生成する手段と、
実装された負荷装置の個数に相当する第２の電位を生成する手段と、
第１の電位と第２の電位を比較し、実装された電源装置の個数が実装された負荷装置の個数以上かどうかを予め検知する手段と、
電源起動指示を受けると、前記検知結果の以上／未満に応じ、電源装置への起動指示を発行／抑止する起動制御手段とを備えることを特徴とする電源制御装置。
【請求項１２】
前記第１の電位を生成する手段を、各電源装置の接続検知端子を接続する電源装置接続信号と、
これを駆動する手段とで構成し、
前記第２の電位を生成する手段を、各負荷装置の接続検知端子を接続する負荷装置接続信号と、
これを駆動する手段とで構成することを特徴とする請求項１１記載の電源制御装置。
【請求項１３】
筐体に実装された可変個数の負荷装置への電源を、筐体に実装された可変個数の電源装置が、纏めて供給するシステムの電源制御装置であって、
実装された電源装置の総供給電力に相当する第１の電位を生成する手段と、
実装された負荷装置の総消費電力に相当する第２の電位を生成する手段と、
第１の電位と第２の電位を比較し、実装された電源装置の総供給電力が実装された負荷装置の総消費電力を満足するかどうかを予め検知する手段と、
電源起動指示を受けると、前記検知結果の満足／不足に応じ、電源装置への起動指示を発行／抑止する起動制御手段とを備えることを特徴とする電源制御装置。
【請求項１４】
前記第１の電位を生成する手段を、
出力電力相当のコンダクタンスを有する各電源装置の接続検知端子を接続する電源装置接続信号と、
これを駆動する手段とで構成し、
前記第２の電位を生成する手段を、
消費電力相当のコンダクタンスを有する各負荷装置の接続検知端子を接続する負荷装置接続信号と、
これを駆動する手段とで構成することを特徴とする請求項１３記載の電源制御装置。
【請求項１５】
電源装置接続信号を駆動する手段を、電源制御用電源と電源装置接続信号間の抵抗と、電源装置接続信号とグランド間の抵抗で構成し、
負荷装置接続信号を駆動する手段を、電源制御用電源と負荷装置接続信号間の抵抗と、負荷装置接続信号とグランド間の抵抗で構成することを特徴とする請求項１２、又は１４に記載の電源制御装置。
【請求項１６】
グランドに接続された抵抗の他端をバックプレーンへの端子或いはコンタクトの一つに接続し、接続検知端子とし、前記抵抗のコンダクタンスを供給電力に応じた値とすることを特徴とする電源装置。
【請求項１７】
動作電源を外部より受け、電源装置の負荷となる電子装置であって、グランドに接続された抵抗の他端をバックプレーンへの端子或いはコンタクトの一つに接続し、接続検知端子とし、前記抵抗のコンダクタンスを消費電力に応じた値とすることを特徴とする電子装置。
【請求項１８】
動作電源を外部より受け、電源装置の負荷となる電子装置であって、
グランドに接続された抵抗の他端をバックプレーンへの端子或いはコンタクトの一つに接続した接続検知端子と、
筐体に実装された電源装置の総供給電力に相当する第１の電位を受け、筐体に実装され負荷となる電子装置の総消費電力に相当する第２の電位を前記接続検知端子を通じて受け、受けた第１の電位と第２の電位を比較し、筐体に実装された電源装置の総供給電力が筐体に実装された前記電子装置の総消費電力を満足するかどうかを予め検知する手段と、
自装置の電源起動を指示する手段と、
電源起動指示を受け、前記検知結果の満足／不足に応じ、自装置の負荷部への電源供給指示を発行／抑止する個別の起動制御手段とを備え、
前記抵抗のコンダクタンスを自装置の消費電力に応じた値とすることを特徴とする電子装置。
【発明の詳細な説明】
【技術分野】
【０００１】
本発明は電源制御方式と装置、電源装置、及び電子装置に関し、特に、筐体に実装された可変個数の電子装置への電源を、筐体に実装された可変個数の電源装置が、纏めて供給するシステムの電源制御方式と装置、電源装置、及び電子装置に関する。
【背景技術】
【０００２】
従来は一つの筐体の中に１つの装置しか実装できない装置や、決まった負荷装置しか搭載できないスタンド・アローンのサーバが使用されてきた。
【０００３】
しかし、筐体を収めるラックを標準化し電源等を複数のサーバで共通化することにより、大規模サーバの構築を安価に実現できるブレードサーバや、単一筐体に複数の通信カードが収容される通信装置用筐体が頻繁に使用されることが近年盛んになってきた。
【０００４】
単一筐体に実装される負荷装置は負荷装置間の通信手段や実装の有無を検知するための接続検知信号を筐体のバックプレーンなどに配線することが行われている。
【０００５】
上記に類似の例として実装されている各負荷装置（基板）の種別を複数の端子で表し、バックプレーンの配線で制御部に集める例が開示されている（特許文献１参照）。
【０００６】
【特許文献１】特開平９−２０４２４０号公報（図４）
【発明の開示】
【発明が解決しようとする課題】
【０００７】
上記の様なサーバ装置やシステム等においては、複数の負荷装置の動作電源を纏めて複数の電源装置が供給する方式が採用されるので、負荷装置の増設、部分保守のため一部の電源装置や負荷装置の切り離し（未実装）等の構成変更をして運用開始する際に供給電源が不足する実装状態で電源起動が指示されることもある。
【０００８】
このため、トラブルを起こすだけでなく装置やシステムにも悪影響を与えるという課題がある。
【０００９】
ここで、負荷装置、電源装置の実装状況を把握することが必要になるが従来の接続検知信号の配線では、バックプレーンの配線本数増加や、各負荷装置からのコネクタのサイズが大きくなり、コスト高になるという課題がある。
【００１０】
本発明の目的は上記課題を解決する電源制御方式と装置、電源装置、及び電子装置を提供することにある。
【課題を解決するための手段】
【００１１】
本発明の第１の電源制御方式は、筐体に実装された可変個数の負荷装置への電源を、筐体に実装された可変個数の電源装置が纏めて供給し、各電源装置の供給電力は同じで、負荷装置の実装個数以上の電源装置の実装が要求されるシステムの電源制御方式であって、実装された電源装置の個数に相当する第１の電位を生成する手段と、実装された負荷装置の個数に相当する第２の電位を生成する手段と、第１の電位と第２の電位を比較し、実装された電源装置の個数が実装された負荷装置の個数以上かどうかを予め検知する手段と、電源起動指示を受けると、前記検知結果の以上／未満に応じ、電源装置への起動指示を発行／抑止する起動制御手段とを備える。
【００１２】
本発明の第２の電源制御方式は、前記第１の電源制御方式において、前記第１の電位を生成する手段を、前記電源装置に設けその装置がバックプレーンに接続されたことを示す電源装置接続検知抵抗と、バックプレーンでこれらを接続する電源装置接続信号とこれを駆動する手段とで構成し、前記第２の電位を生成する手段を、前記負荷装置に設けその装置がバックプレーンに接続されたことを示す負荷装置接続検知抵抗と、バックプレーンでこれらを接続する負荷装置接続信号と、これを駆動する手段とで構成する。
【００１３】
本発明の第３の電源制御方式は、筐体に実装された可変個数の負荷装置への電源を、筐体に実装された可変個数の電源装置が纏めて供給するシステムの電源制御方式であって、実装された電源装置の総供給電力に相当する第１の電位を生成する手段と、実装された負荷装置の総消費電力に相当する第２の電位を生成する手段と、第１の電位と第２の電位を比較し、実装された電源装置の総供給電力が実装された負荷装置の総消費電力を満足するかどうかを予め検知する手段と、電源起動指示を受けると、前記検知結果の満足／不足に応じ、電源装置への起動指示を発行／抑止する起動制御手段とを備える。
【００１４】
本発明の第４の電源制御方式は、前記第３の電源制御方式において、前記第１の電位を生成する手段を、前記電源装置に設けその装置がバックプレーンに接続されたことを示す電源装置接続検知抵抗と、これらを前記バックプレーンで接続する電源装置接続信号と、これを駆動する手段とで構成し、前記第２の電位を生成する手段を、前記負荷装置に設けその装置がバックプレーンに接続されたことを示す負荷装置接続検知抵抗と、これらを前記バックプレーンで接続する負荷装置接続信号と、これを駆動する手段とで構成し、前記電源装置接続検知抵抗のコンダクタンスがその装置の供給電力に相当する値に設定され、前記負荷装置接続検知抵抗のコンダクタンスがその装置の消費電力に相当する値に設定される。
【００１５】
本発明の第５の電源制御方式は、前記第２、又は第４の電源制御方式において、電源装置接続信号を駆動する手段を、電源制御用電源と電源装置接続信号間の抵抗と、電源装置接続信号とグランド間の抵抗で構成し、負荷装置接続信号を駆動する手段を、電源制御用電源と負荷装置接続信号間の抵抗と、負荷装置接続信号とグランド間の抵抗で構成する。
【００１６】
本発明の第６の電源制御方式は、筐体に実装された可変個数の負荷装置への電源を、筐体に実装された可変個数の電源装置が纏めて供給し、各電源装置の供給電力は同じで、負荷装置の実装個数以上の電源装置の実装が要求されるシステムの電源制御方式であって、実装された電源装置の個数に相当する第１の電位を生成する手段と、実装された負荷装置の個数に相当する第２の電位を生成する手段とを備え、前記負荷装置が、第１の電位と第２の電位を比較し、実装された電源装置の個数が実装された負荷装置の個数以上かどうかを予め検知する手段と、自装置の電源起動を指示する手段と、電源起動指示を受けると、前記検知結果の以上／未満に応じ、自装置の負荷部への電源供給指示を発行／抑止する個別の起動制御手段とを備える。
【００１７】
本発明の第７の電源制御方式は、前記第６の電源制御方式において、前記第１の電位を生成する手段を、前記各電源装置に設けられその装置がバックプレーンに接続されたことを示す電源装置接続検知抵抗と、バックプレーンに設けられ、前記各電源装置接続検知抵抗を接続する電源装置接続信号とこれを駆動する手段とで構成し、前記第２の電位を生成する手段を、前記各負荷装置に設けられその装置がバックプレーンに接続されたことを示す負荷装置接続検知抵抗と、バックプレーンに設けられ、前記負荷装置接続検知抵抗を接続する負荷装置接続信号と、これを駆動する手段とで構成する。
【００１８】
本発明の第８の電源制御方式は、筐体に実装された可変個数の負荷装置への電源を、筐体に実装された可変個数の電源装置が纏めて供給するシステムの電源制御方式であって、実装された電源装置の総供給電力に相当する第１の電位を生成する手段と、実装された負荷装置の総消費電力に相当する第２の電位を生成する手段と、前記負荷装置が、第１の電位と第２の電位を比較し、実装された電源装置の総供給電力が実装された負荷装置の総消費電力を満足するかどうかを予め検知する手段と、自装置の電源起動を指示する手段と、電源起動指示を受けると、前記検知結果の満足／不足に応じ、自装置の負荷部への電源供給指示を発行／抑止する個別の起動制御手段とを備える。
【００１９】
本発明の第９の電源制御方式は、前記第８の電源制御方式において、前記第１の電位を生成する手段を、前記各電源装置に設けられその装置がバックプレーンに接続されたことを示す電源装置接続検知抵抗と、バックプレーンに設けられ、前記各電源装置接続検知抵抗を接続する電源装置接続信号とこれを駆動する手段とで構成し、前記第２の電位を生成する手段を、前記各負荷装置に設けられその装置がバックプレーンに接続されたことを示す負荷装置接続検知抵抗と、バックプレーンに設けられ、前記負荷装置接続検知抵抗を接続する負荷装置接続信号と、これを駆動する手段とで構成し、前記電源装置接続検知抵抗のコンダクタンスがその電源装置の供給電力に相当する値に設定され、前記負荷装置接続検知抵抗のコンダクタンスがその負荷装置の消費電力に相当する値に設定される。
【００２０】
本発明の第１０の電源制御方式は、前記第７、又は第９の電源制御方式において、電源装置接続信号を駆動する手段を、電源制御用電源と電源装置接続信号間の抵抗と、電源装置接続信号とグランド間の抵抗で構成し、負荷装置接続信号を駆動する手段を、電源制御用電源と負荷装置接続信号間の抵抗と、負荷装置接続信号とグランド間の抵抗で構成する。
【００２１】
本発明の第１の電源制御装置は、筐体に実装された可変個数の負荷装置への電源を、筐体に実装された可変個数の電源装置が纏めて供給し、前記実装される可変個数の電源装置の各装置の供給電力は同じで、負荷装置の実装個数以上の電源装置の実装が要求されるシステムの電源制御装置であって、実装された電源装置の個数に相当する第１の電位を生成する手段と、実装された負荷装置の個数に相当する第２の電位を生成する手段と、第１の電位と第２の電位を比較し、実装された電源装置の個数が実装された負荷装置の個数以上かどうかを予め検知する手段と、電源起動指示を受けると、前記検知結果の以上／未満に応じ、電源装置への起動指示を発行／抑止する起動制御手段とを備える。
【００２２】
本発明の第２の電源制御装置は、前記第１の電源制御装置において、前記第１の電位を生成する手段を、各電源装置の接続検知端子を接続する電源装置接続信号と、これを駆動する手段とで構成し、前記第２の電位を生成する手段を、各負荷装置の接続検知端子を接続する負荷装置接続信号と、これを駆動する手段とで構成する。
【００２３】
本発明の第３の電源制御装置は、筐体に実装された可変個数の負荷装置への電源を、筐体に実装された可変個数の電源装置が、纏めて供給するシステムの電源制御装置であって、実装された電源装置の総供給電力に相当する第１の電位を生成する手段と、実装された負荷装置の総消費電力に相当する第２の電位を生成する手段と、第１の電位と第２の電位を比較し、実装された電源装置の総供給電力が実装された負荷装置の総消費電力を満足するかどうかを予め検知する手段と、電源起動指示を受けると、前記検知結果の満足／不足に応じ、電源装置への起動指示を発行／抑止する起動制御手段とを備える。
【００２４】
本発明の第４の電源制御装置は、前記第３の電源制御装置において、前記第１の電位を生成する手段を、出力電力相当のコンダクタンスを有する各電源装置の接続検知端子を接続する電源装置接続信号と、これを駆動する手段とで構成し、前記第２の電位を生成する手段を、消費電力相当のコンダクタンスを有する各負荷装置の接続検知端子を接続する負荷装置接続信号と、これを駆動する手段とで構成する。
【００２５】
本発明の第５の電源制御装置は、前記第２、又は第４の電源制御装置において、電源装置接続信号を駆動する手段を、電源制御用電源と電源装置接続信号間の抵抗と、電源装置接続信号とグランド間の抵抗で構成し、負荷装置接続信号を駆動する手段を、電源制御用電源と負荷装置接続信号間の抵抗と、負荷装置接続信号とグランド間の抵抗で構成する。
【００２６】
本発明の電源装置は、グランドに接続された抵抗の他端をバックプレーンへの端子或いはコンタクトの一つに接続し、接続検知端子とし、前記抵抗のコンダクタンスを供給電力に応じた値とする。
【００２７】
本発明の第１の電子装置は、動作電源を外部より受け、電源装置の負荷となる電子装置であって、グランドに接続された抵抗の他端をバックプレーンへの端子或いはコンタクトの一つに接続し、接続検知端子とし、前記抵抗のコンダクタンスを消費電力に応じた値とする。
【００２８】
本発明の第２の電子装置は、動作電源を外部より受け、電源装置の負荷となる電子装置であって、グランドに接続された抵抗の他端をバックプレーンへの端子或いはコンタクトの一つに接続した接続検知端子と、筐体に実装された電源装置の総供給電力に相当する第１の電位を受け、筐体に実装され負荷となる電子装置の総消費電力に相当する第２の電位を前記接続検知端子を通じて受け、受けた第１の電位と第２の電位を比較し、筐体に実装された電源装置の総供給電力が筐体に実装された前記電子装置の総消費電力を満足するかどうかを予め検知する手段と、自装置の電源起動を指示する手段と、電源起動指示を受け、前記検知結果の満足／不足に応じ、自装置の負荷部への電源供給指示を発行／抑止する個別の起動制御手段とを備え、前記抵抗のコンダクタンスを自装置の消費電力に応じた値とする。
【発明の効果】
【００２９】
本発明によれば、実装個数可変の複数の負荷装置の動作電源を纏めて、実装個数可変の複数の電源装置が並列運転で供給するシステムや装置で、構成変更をして運用する際に供給電力が不足する実装状態では電源装置が起動されることを防ぐという第１の効果がある。
【００３０】
従来バックプレーン上に各負荷装置および電源装置から接続されていた複数の接続確認信号が、それぞれ単一信号になるのでバックプレーン上の信号の配線本数が大幅に削減されるという第２の効果がある。
【００３１】
次に、従来はバックプレーンからの各負荷装置および電源装置の接続検知信号からそれぞれの接続台数を計算し、電源の起動許可・抑止をソフトウェアで実現していたが、本発明ではハードウェアで自動的に負荷装置と電源装置の接続台数を判断し、電源の起動・許可を実現している。
【００３２】
ソフトウェアによる処理を削除出来るという第３の効果がある。
【００３３】
また、本発明では、前記それぞれ１本の接続信号により消費電力・供給電力を判断することが可能になり、消費電力および供給電力情報入手処理を不要とすることにより、ソフトウェアによる処理を削減でき、不必要な通信信号をバックプレーンなどに実装する必要がなくなるため安価になるという第４の効果がある。
【発明を実施するための最良の形態】
【００３４】
次に、本発明を実施するための最良の形態について図面を参照して詳細に説明する。
【００３５】
図１を参照し、本発明の第１の実施形態の構成を説明する。
【００３６】
負荷装置に電源を供給する複数の電源装置１００，１１０，１２０と、電源供給を受けて動作する複数の負荷装置２００，２１０，２２０と、前記電源装置１００，１１０，１２０からの電源供給の起動と停止を制御する電源制御装置３００と、電源装置１００，１１０，１２０から負荷装置２００，２１０，２２０へ電力を供給する電源バス４００と、電源装置１００，１１０，１２０および負荷装置２００，２１０，２２０が接続されるバックプレーンとが搭載される筐体５００からシステムが構成される。
【００３７】
負荷装置は、電源の供給先であり負荷側の装置である。例えば、処理装置、記憶装置、通信装置、印刷装置等である。
【００３８】
電源装置１００，１１０，１２０は負荷装置２００，２１０，２２０へ電源バス４００を通して電力を供給する機能と、それぞれがバックプレーン６００へ接続されたこと（実装されたこと）を示す電源装置接続検知抵抗１０１，１１１，１２１を含み構成される。
【００３９】
負荷装置２００，２１０，２２０は各種の処理等の機能と、負荷装置がバックプレーン６００に接続されたことを示す負荷装置接続検知抵抗２０１，２１１，２２１を含み構成される。
【００４０】
バックプレーン６００は、前記電源装置接続検知抵抗１０１，１１１，１２１を、電源制御装置３００に接続する電源装置接続信号線７１０と、前記負荷装置２００，２１０，２２０の接続検知抵抗２０１，２１１，２２１に電源制御装置３００を接続する負荷装置接続信号線７２０を含む。
【００４１】
実装された電源装置を並列運転し、実装された負荷装置へ電源を供給する。
【００４２】
電源制御装置３００は、電源装置接続信号線７１０用の基準電圧を決めるための分圧抵抗ＲｐＨ３４１とＲｐＬ３４２と、負荷装置接続信号線７２０用の基準電圧を決めるための分圧抵抗ＲｃＨ３５１とＲｃＬ３５２と、電源装置接続信号線７１０と負荷装置接続信号線７２０の電位を比較し、電源装置１００，１１０，１２０の起動の許可・抑止を決定する電力供給検知器３２０を含む。
【００４３】
また、電源起動を指示する電源起動指示装置３１０と、電源起動指示装置３１０からの起動指示と電力供給検知器３２０からの起動許可・抑止通知から電源装置１００，１１０，１２０への起動指示を発行する電源起動制御器３３０も含む。
【００４４】
電源起動指示装置３１０と電源起動制御器３３０の構成例を図２に示す。電源起動指示装置３１０は、インバータ３１３の入力を抵抗３１２を通じてプルアップしておき、ボタン３１１が押し下げられたときに前記入力を”０”とし、電源起動制御器３３０への出力が”１”となる様に構成する。
【００４５】
或いは、図示しない別の制御装置から電源起動指示時に出力が”１”となる装置として構成することができる。
【００４６】
電源起動制御器３３０は、電源起動指示装置３１０からの出力が”１”、かつ電力供給検知器３２０からの出力が”１”の時に各電源装置１００，１１０，１２０へ”１”を出力するＡＮＤゲートにより構成することができる。
【００４７】
次に、本発明を実施するための第１の実施形態の動作について図面を参照して説明する。
【００４８】
図１を用いて本発明の動作を説明する。
【００４９】
筐体５００には最大実装個数以内のそれぞれ前記電源装置と負荷装置が実装される。
【００５０】
電源装置は１個当たりの供給可能電力PSUPが決まっており、負荷装置は１個あたりの消費電力PCONSUMEが決まっており十分な電力を供給するために、下記の（式１）を満たす必要がある。
電源装置数 × PSUP > 負荷装置数 × PCONSUME（式１）
電源制御装置３００は実装された電源装置１００，１１０，１２０の個数と、負荷装置２００，２１０，２２０の個数を認識し、（式１）を満たす場合には、電源装置の起動を許可し、（式１）を満たさない場合には電源装置の起動を禁止する。
【００５１】
電源制御装置３００内の電力供給検知器３２０は、電源装置接続検知抵抗１０１，１１１，１２１に接続された電源装置接続信号線７１０から、実装された電源装置個数に相当する電位Vsupplyを”−“入力として受け取る。
【００５２】
又、負荷装置接続検知抵抗２０１，２１１，２２１に接続された負荷装置接続信号線７２０から、実装された負荷装置数に相当する電位Vconsumeを”＋“入力として受け取る。
【００５３】
（式１）を満たす時にVsupply < Vconsume、
（式１）を満たさない時にVsupply > Vconsumeとなる様に前記電源装置接続検知抵抗１０１，１１１，１２１と前記負荷装置接続検知抵抗２０１，２１１，２２１と、分圧抵抗ＲｃＨ３５１，ＲｃＬ３５２、ＲｐＨ３４１、ＲｐＬ３４２が設定されている。
【００５４】
電力供給検知器３２０は、”−”入力のVsupplyと、”＋”入力のVconsumeを比較し、
Vsupply > Vconsume（式２）
の場合には、電源起動制御器３３０に”０”を出力することにより電源起動の抑止を通知し、逆に
Vsupply < Vconsume（式３）
の場合には、電源起動制御器３３０に”１”を出力することにより電源起動許可を通知する。
【００５５】
電源起動制御器３３０は、電源起動指示装置３１０から電源起動が指示されると、電力供給検知器３２０が起動許可を通知している場合は、電源装置１００，１１０，１２０を起動し、電力供給検知器３２０が起動抑止を通知している場合は電源装置の起動を行わない。
【００５６】
電源装置接続検知抵抗１０１，１１１，１２１と分圧抵抗ＲｐＨ，ＲｐＬから生成されるVsupply、負荷装置接続検知抵抗２０１，２１１，２２１とＲｃＨ，ＲｃＬから生成されるVconsumeが（式１）を満たす抵抗値を設定する方法を以下に示す。
【００５７】
電源装置１００，１１０，１２０のいずれもバックプレーン６００に接続されていない場合、Ｖｃｃが分圧抵抗ＲｐＨ３４１、ＲｐＬ３４２により分圧され、
電位Ｖｃｃ×ＲｐＬ／（ＲｐＨ＋ＲｐＬ）を電力供給検知器３２０の“―”入力が受け取る。
【００５８】
電源装置１００を挿入すると、接続検知抵抗１０１がバックプレーンに接続され、電源装置接続信号線７１０が前記接続検知抵抗１０１を経由してグランドに接続される。
【００５９】
電源装置接続信号線７１０は電源制御装置３００内で、電位Ｖｃｃを抵抗ＲｐＨ３１０，ＲｐＬ３４２で分圧している。
【００６０】
前記接続検知抵抗１０１（以後Ｒｐ１０１）が接続されることにより、電力供給検知器３２０の“―”入力の電位が  Ｖｃｃ×ＲｐＬ／（ＲｐＨ＋ＲｐＬ）から低下する。
【００６１】
ＲｐＬとＲｐ１０１を合わせた抵抗値ＲＸ１０１は
RX101 = 1/(1/RpL+1/Rp101) = (RpL×Rp101) / (RpL+Rp101) （式４）
となる。
【００６２】
前記電力供給検知器３２０の“−”入力の電位Vsupply（１）は
Vsupply(1) = Vcc × RX101 / (RpH + RX101)（式５）
となる。
【００６３】
前記接続検知抵抗１０１，１１１，１２０の中からＮ個が接続された場合、それぞれの抵抗をＲｐ（１），  Ｒｐ（２），．．，Ｒｐ（ｉ），．．．Ｒｐ（ｎ）とすると、接続検知抵抗ＲｐＬとの合成抵抗ＲＸ（ｎ）は
RX(n) = 1 / ( 1 / RpL + Σ( 1 / Rp(i) ) ) （式６）
となる。
【００６４】
ここで、Σ（１／Ｒｐ（ｉ））は接続された接続検知抵抗の抵抗値の逆数の総和を示す。
【００６５】
電源装置がＮ台接続された場合の前記電力供給検知器３２０の“−”入力電位Vsupply
（ｎ）は、
Vsupply（ｎ） = Vcc × RX(n) / (RX(n) + RpH)（式７）となる。
【００６６】
式（６，７）を用い、Ｖｃｃ＝５Ｖ，  ＲｐＨ＝２０Ω，  ＲｐＬ＝１０ｋΩ，  Ｒｐ（ｉ）の抵抗値を全て１００Ωとした場合における、電源装置の台数と、前記合成抵抗ＲＸ（ｎ）と、前記電力供給検知器320の“−”入力電位Vsupply（ｎ）の値を図３に示す。
【００６７】
負荷装置２００，２１０，２２０の接続時に電力供給検知器３２０の“＋”に入力される電位Vconsumeも同様にして計算される。
【００６８】
（第一の電源制約を満たす実現例）
電源装置１台に対して負荷装置１台の電力を供給可能である電源制約である場合、ｉ台の電源装置が接続された場合のVsupplyをVsupply（ｉ），ｊ台の負荷装置が接続された場合のVconsumeをVconsume（ｊ）とすると、（式１）を満たすためには（式２）と（式３）の条件から任意のｎに対して、
Vconsume(n+1) < Vsupply(n) < Vconsume(n) （式８）
を満たせばよい。
【００６９】
ＲｐＨ＝１２０Ω、ＲｐＬ＝１０ｋΩ、電源装置接続検知抵抗１０１，１１１，１２１＝３００Ω、ＲｃＨ＝１００Ω，ＲｃＬ＝１０ｋΩ、負荷装置接続検知抵抗２０１，２１１，２２１＝３００Ωとした場合の電源装置１００，１１０，１２０と、負荷装置２００，２１０，２２０の台数と、Vsupply，Vconsumeの値を図４に示す。
【００７０】
また、図４をグラフにしたものを図５に示す。
【００７１】
図５の横軸は負荷装置の台数を示し、縦軸はVconsumeあるいはVsupplyの電位を示す。
【００７２】
電源装置が１，２，３，４台の場合のVsupplyの電位を図中の水平線が示し、右下がり
の線が負荷装置台数が１，２，３，４台の場合のVconsumeの電位を示す。
Vsupply（ｎ）は電源装置ｎ台のときのVsupplyを示す。電源装置が２台の場合は、Vconsume > Vsupply(2) である台数の負荷装置を使用可能であり、図５から負荷装置２台までを起動可能であることを示す。
【００７３】
即ち、図５からｎ台の電源装置が接続されている場合のVsupplyをVsupply（ｎ）と表現すると、ｎ＝１，２，３，４に対して
Vconsume(n+1) < Vsupply(n) < Vconsume(n)（式９）
であり、電源制約である（式８）を満たす。
【００７４】
（第二の電源制約を満たす実現例）
次に、１台の電源装置が２個の負荷装置への電源を供給可能な場合の実施例を図６を用いて以下に説明する。
【００７５】
１台の電源装置が２個の負荷装置への電源供給が可能であることは、第二の電源制約における電源装置は、（第一の電源制約を満たす実現例）における２個の電源装置と等価の電源供給能力を持つ。
【００７６】
つまり、第二の電源制約における電源装置の電源接続検知抵抗の抵抗値をＲＲ２とし、第一の電源制約における電源装置接続検知抵抗の抵抗値をＲＲ１とすると、ＲＲ１二個を並列接続した抵抗値をＲＲ２とすれば実現可能となる。
即ち、
RR2 = 1 / (1/RR1 + 1/RR1) = RR1 / 2 （式１０）
となる。
【００７７】
以上は、電力供給力の異なる複数の電源装置を使用した場合にも適用可能である。１台の負荷装置に電力を供給可能な電源装置Ａ１と２台の負荷装置に電力を供給可能な電源装置Ａ２が混在する場合、電源装置Ａ１に使用する接続検知抵抗の抵抗値をＲＲ１とし、二台の負荷装置に電力を供給可能な電源装置Ａ２に使用する接続検知抵抗の抵抗値をＲＲ２とすることにより、電源装置Ａ１，Ａ２を混在させることが可能になる。
【００７８】
さらに、Ｋ台の負荷装置に電源を供給可能な電源装置を使用した場合は、ＲＲ１をＫ個並列接続した接続検知抵抗の抵抗値を設定することにより実現する。
【００７９】
（第三の電源制約を満たす実現例）
負荷装置ＣＯＬＤを前記負荷装置の２倍の電力を消費する新しい負荷装置ＣＮＥＷに置き換える場合の実施例を図７を用いて以下に説明する。
ＣＮＥＷは従来の負荷装置の２枚分の消費電力であることから、従来の負荷装置に使用していた接続検知抵抗値をＲＣ１とし、ＣＮＥＷ用の接続検知抵抗値をＲＣ２とすると、ＲＣ２はＲＣ１を２個並列接続した値と等価にすることにより実現できる。
【００８０】
即ち、
RC2 = 1 / (1/RC1 + 1/RC1) = RC1 / 2 （式１１）
となる。
【００８１】
纏めると、負荷装置の接続検知抵抗は消費電力相当のコンダクタンス（抵抗値の逆数）となる様に設定し、電源装置の接続検知抵抗は供給電力（供給できる電力）相当のコンダクタンスとなる様に設定する。
【００８２】
従来は異なる消費電力の負荷装置、あるいは異なる供給電力の電源装置を搭載する場合、各負荷装置の消費電力などを入手し複雑な処理をする必要があったが、上記のように負荷装置、電源装置の接続検知抵抗を設定することで、異なる消費電力の負荷装置、異なる供給電力の電源装置が接続されたシステムにおいても、電源の起動許可・停止を判断するための情報を前記接続検知信号により入手することができる。
【００８３】
従って、異なる複数の負荷装置、電源装置の混在時においてもソフトウェアの介在なしに電源の起動許可・抑止を自動的に実現できる。
【００８４】
図１の例では、電源装置と負荷装置は同じバックプレーンに接続しているが、それぞれのバックプレーンに接続してもよい。
【００８５】
また電源装置はケーブル等でディジー接続してもよい。
【００８６】
また電源装置と電源制御装置が、筐体５００でなく別筐体であっても本発明は適用できる。
【００８７】
次に図８を参照し、本発明の第２の実施形態の構成を説明する。
【００８８】
本実施形態では、負荷装置個別に電源起動を可能にし、かつ、専用の電源制御装置３００を必要とせず、確実にかつ簡素な構成で電源供給量を検知し、電源供給量が充足された場合のみ負荷装置の負荷部に電力を供給する構成を示す。
【００８９】
負荷装置２００Ａ、２１０Ａ、２２０Ａの各装置が電源起動指示装置３１０、電力供給検知器３２０、電源起動制御器３３０を備え、さらに、電源供給器３６０を備える。
【００９０】
電源供給器３６０は、電源バス４００からの供給電力を負荷部２０２へ供給するかどうかを制御する。
【００９１】
また、電力供給検知器３２０への入力電位を生成する分圧抵抗３４１，３４２，３５１，３５２をバックプレーン６００Aに備える。
【００９２】
電源装置１００、１１０、１２０の各装置は実装された後、制御なしに電源バス４００に電力を供給する。
【００９３】
実装された負荷装置の、電源起動指示装置３１０、電力供給検知器３２０、電源起動制御器３３０、電源供給器３６０には、電源バス４００から動作電源が供給される。
【００９４】
電源供給器３６０、および、電源装置１００、１１０、１２０以外の各装置の動作は第１の実施形態と同様である。
【００９５】
電源供給器３６０は、電源起動制御器３３０から電源供給を要求された場合、すなわち、電源起動制御器３３０の出力が“１”である場合に負荷部２０２に電力を供給する。
【００９６】
電源起動制御器の出力が“０”の場合は負荷部２０２に電力を供給しない。
【００９７】
本実施形態では、負荷装置個別に電源起動が可能であり、かつ、専用の電源制御装置３００を負荷装置の外部に備える必要がない。
【図面の簡単な説明】
【００９８】
【図１】本発明の第１の実施形態における電源制御方式を含む装置やシステムの構成を示す図。
【図２】図１の電源起動指示装置３１０と電源起動制御器３３０の構成例を示す図。
【図３】電源装置の台数（ｎ）を１〜４にした場合の合成抵抗ＲＸとVsupplyの値を示す図。
【図４】負荷装置の台数（ｎ）を１〜４にした場合のVconsumeを示し、対比させるため電源装置台数を１〜４にした場合のVsupplyの値も示した図。
【図５】図４をグラフ表示した図。
【図６】１台の電源装置が２個の負荷装置への電源を供給可能な場合の電源の接続検知抵抗ＲＲ２を説明する為の図。
【図７】負荷装置を２倍の電力を消費する負荷装置に置き換える場合の新負荷装置の接続検知抵抗ＲＣ２を説明する為の図。
【図８】本発明の第２の実施形態における電源制御方式を含む装置やシステムの構成を示す図。
【符号の説明】
【００９９】
１００、１１０、１２０    電源装置
１０１、１１１、１２１    電源装置接続検知抵抗
２００、２００Ａ、２１０、２１０Ａ、２２０、２２０Ａ    負荷装置
２０１、２１１、２２１    負荷装置接続検知抵抗
３００    電源制御装置
３１０    電源起動指示装置
３２０    電力供給検知器
３３０    電源起動制御器
３６０    電源供給器
４００    電源バス
５００    筐体
６００、６００Ａ    バックプレーン
７１０    電源装置接続信号線
７２０    負荷装置接続信号線
【図１】
2006195663.tif 000003
【図２】
2006195663.tif 000004
【図３】
2006195663.tif 000005
【図４】
2006195663.tif 000006
【図５】
2006195663.tif 000007
【図６】
2006195663.tif 000008
【図７】
2006195663.tif 000009
【図８】
2006195663.tif 000010